(57)【特許請求の範囲】
【請求項１】
キーボード部を有する第１筐体と、ディスプレイ部を有する第２筐体と、前記第１筐体と前記第２筐体とを回動自在に連結するヒンジ部と、前記キーボード部や前記ディスプレイ部が設けられる面の反対面に装着するカバーと、前記カバーに前記第２筐体の側周を囲むように有する側部と、前記ヒンジ部の両端に前記カバーが伸長された状態で前記側部の下端面が当接するカムと、を具備する携帯機器であって、
前記カバーを、前記第１筐体に固定的に取り付け、前記第２筐体に摺動可能に取り付ける、携帯機器。
【請求項２】
前記カバーは、レシーバを有し、
前記カバーが前記第２筐体に対して摺動した際に前記レシーバが外部に露出する、請求項１に記載の携帯機器。
【請求項３】
前記カバーは、前記第１筐体及び前記第２筐体に対して着脱可能である、請求項１または請求項２に記載の携帯機器。
【発明の詳細な説明】
【技術分野】
【０００１】
本発明は、キーボード部を有する第１筐体とディスプレイ部を有する第２筐体とをヒンジにより回動自在に連結した折り畳み式の構造を有する携帯機器に関する。
【背景技術】
【０００２】
従来から、携帯電話機に代表される携帯機器の構造として、キーボード部やマイク部等が設けられた第１筐体とディスプレイ部やスピーカ部等が設けられた第２筐体とをヒンジにより回動自在に連結し、不使用時にキーボード部やディスプレイ部が露出しないように２つ折りにして保護する折り畳み式のものが知られている。
【０００３】
また、従来から、外部からの衝撃等から保護するために、折り畳み式の携帯機器の背面側（キーボード部やディスプレイ部が設けられる面の反対面）に軟質素材のカバーを着脱可能に装着することが提案されている（例えば、特許文献１）。
【特許文献１】特開平１０−２１５９３３号公報
【発明の開示】
【発明が解決しようとする課題】
【０００４】
しかしながら、従来の例では、携帯機器の開閉を考慮して、ヒンジ部とカバーとの間に隙間が設けられているため、携帯機器を開いた状態では、シワ、弛みが発生してしまい、グリップ安定性やキー操作性を低下させ、美観を大きく損ねてしまうという問題がある。
【０００５】
本発明はかかる点に鑑みてなされたものであり、背面側にカバーを装着する場合に、開いた状態でもシワ、弛みを発生させず、グリップ安定性やキー操作性を低下させることを防ぎ、美観を保つことができる折り畳み式の構造を有する携帯機器を提供することを目的とする。
【課題を解決するための手段】
【０００６】
本発明の携帯機器は、キーボード部を有する第１筐体と、ディスプレイ部を有する第２筐体と、前記第１筐体と前記第２筐体とを回動自在に連結するヒンジ部と、前記キーボード部や前記ディスプレイ部が設けられる面の反対面に装着するカバーと、前記カバーに前記第２筐体の側周を囲むように有する側部と、前記ヒンジ部の両端に前記カバーが伸長された状態で前記側部の下端面が当接するカムと、を具備する携帯機器であって、前記カバーを、前記第１筐体に固定的に取り付け、前記第２筐体に摺動可能に取り付ける、構成を採る。
【発明の効果】
【０００７】
本発明によれば、カバーを第２筐体に摺動可能に取り付けることにより、開いた状態でもシワ、弛みを発生させず、グリップ安定性やキー操作性を低下させることを防ぎ、美観を保つことができる折り畳み式の構造を有する携帯機器を実現することができる。
【発明を実施するための最良の形態】
【０００８】
以下、本発明の実施の形態について図面を参照して詳細に説明する。なお、本実施の形態では、携帯機器の一種である携帯電話機を例に説明する。
【０００９】
（実施の形態１）
図１、図２は、本発明の実施の形態１に係る携帯電話機を示す斜視図であり、図３、図４は、本発明の実施の形態１に係る携帯電話機を示す側面図である。なお、図１、図３は、キーボード部を露出させない閉状態を示し、図２、図４は、キーボード部を露出させる開状態を示す。
【００１０】
図１から図４に示すように、本実施の形態に係る携帯電話機１は、第１筐体２と、第２筐体３と、を有し、第１筐体２と第２筐体３とはヒンジ４により回動自在に連結される。また、携帯電話機１の背面側には可撓な軟質素材のカバー５が装着されている。なお、カバー５の素材として、プラスチック、本革、合成皮革等が考えられる。
【００１１】
第１筐体２は、キーボード部６やマイク部７等を有し、送話部としての役割を担う。また、第２筐体３は、ディスプレイ部８等を有し、カバー５は、開状態において露出する位置にスピーカ部９を有し、第２筐体３及びカバー５は、受話部としての役割を担う。
【００１２】
第１筐体２は、平面細長の矩形形状に形成され、扁平な矩形断面を有し、カバー５が固定されている。
【００１３】
第２筐体３は、第１筐体２とほぼ同じ大きさであって、平面細長の矩形形状に形成され、扁平な矩形断面を有し、カバー５が摺動可能に取り付けられている。
【００１４】
ユーザは、キーボード部６とディスプレイ部８を対向する姿勢で、第２筐体３が第１筐体２と重なるように２つ折りの状態とすることにより、図１、図３に示すような、第１筐体２のキーボード部６を露出させない閉状態とすることができる。また、ユーザは、閉状態からヒンジ４を中心に第２筐体３を回動させ、第１筐体２と第２筐体３とが開成角度αを有する状態とすることにより、図２、図４に示すような、第１筐体２のキーボード部６を露出させる開状態とすることができる。
【００１５】
そして、閉状態から開状態に移行する際に、手動又は自動でカバー５を第２筐体３に対して上方に摺動させる。これにより、開状態においてシワ、弛みが発生することを防ぐことができる。
【００１６】
次に、第２筐体３とカバー５とを摺動させるためのスライドユニット１０について、図５、図６を用いて説明する。図５は、開状態における携帯電話機１の部分断面図であり、図６は、図５のＡ−Ａ断面図である。
【００１７】
スライドユニット１０は、第２筐体３の背面部に固着された係合部材２１（被摺動部）と、カバー５に設けられた係合溝２２ａ、２２ｂ（摺動部）とから構成される。係合溝２２ａ、２２ｂは、係合部材２１の係合片部２３ａ、２３ｂよりも若干大きく、係合片部２３ａ、２３ｂが、カバー５の係合溝２２ａ、２２ｂと係合する。そして、係合部材２１の係合片部２３ａ、２３ｂが係合溝２２ａ、２２ｂに案内されて第２筐体３とカバー５とが摺動可能となる。
【００１８】
ユーザが、閉状態から第１筐体２を片手に持って、もう一方の手で第２筐体３を回動させると、開状態となって第１筐体２のキーボード部６が露出することになる。そして、カバー５は、第１筐体２と第２筐体３とが回動して閉状態から開状態となるのに合わせて第２筐体３に対して摺動しながら上方に移動し、カバー５の上端部５ａに設けられたスピーカ部９が露出する。
【００１９】
また、ユーザが、携帯電話機１の操作を終えて閉状態に戻す時には、第１筐体２を片手に持って、もう一方の手で第２筐体３を回動させる。そして、カバー５は、第１筐体２と第２筐体３とが回動して開状態から閉状態となるのに合わせて第２筐体３に対して摺動しながら下方に移動し、スピーカ部９が収納される。
【００２０】
このように、本実施の形態によれば、カバー５を第２筐体３に摺動可能に取り付けることにより、開いた状態でもシワ、弛みを発生させず、グリップ安定性やキー操作性を低下させることを防ぎ、美観を保つことができる携帯機器を実現することができる。
【００２１】
なお、本実施の形態では、カバー５の上端部５ａにスピーカ部９を設ける場合について説明したが、本発明はこれに限られず、スピーカ部９を第２筐体３に設けても良い。
【００２２】
ただし、カバー５の上端部５ａにスピーカ部９を設けることにより、使用時である開状態ではスピーカ部９を露出させ、不使用時である閉状態ではスピーカ部９を収納することができ、不使用時における音量を自動的に小さくすることができる。また、カバー５の上端部５ａにスピーカ部９を設けることにより、第１筐体２のディスプレイ部８を大きくすることができる。
【００２３】
（実施の形態２）
実施の形態２は、携帯電話機を閉状態から開状態とする際に、確実に自動でシワ、弛みの発生を防ぐ場合について説明する。
【００２４】
図７、図８は、本発明の実施の形態２に係る携帯電話機を示す斜視図であり、図９、図１０は、本発明の実施の形態２に係る携帯電話機を示す側面図である。なお、図７、図９は、キーボード部を露出させない閉状態を示し、図８、図１０は、キーボード部を露出させる開状態を示す。
【００２５】
本実施の形態に係る携帯電話機３０は、実施の形態１に係る携帯電話機１と比較して、ヒンジ４にカム部３１ａ、３１ｂを追加し、カバー５に側部３２を追加した構成を採る。
【００２６】
カム部３１ａ、３１ｂは、ヒンジ４の両端に設けられ、カム部３１ａ、３１ｂの外周は、携帯電話機１を閉状態から開状態とする際に、カバー５の側部３２の下端面３２ａ、３２ｂが滑らかに移動し、カバー５がシワ、弛みを生じず伸長するような、滑らかな曲線となる。
【００２７】
カバー５の側部３２は、第２筐体３の側周を囲むように設けられ、携帯電話機３０がどのような状態であっても、側部３２の下端面３２ａ、３２ｂは、カム部３１ａ、３１ｂに当接する。
【００２８】
ユーザが、閉状態から第１筐体２を片手に持って、もう一方の手で第２筐体３を回動させると、第１筐体２と第２筐体３とが回動して閉状態から開状態となるのに合わせて、カバー５の側部３２の下端面３２ａ、３２ｂがカム部３１ａ、３１ｂに当接しながら滑らかに移動し、カバー５が第２筐体３に対して摺動しながら上方に移動する。
【００２９】
また、ユーザが、携帯電話機３０の操作を終えて閉状態に戻す時には、第１筐体２を片手に持って、もう一方の手で第２筐体３を回動させる。このとき、カバー５の側部３２の下端面３２ａ、３２ｂがカム部３１ａ、３１ｂに当接しながら滑らかに移動し、カバー５が第２筐体３に対して摺動しながら下方に移動する。
【００３０】
このように、本実施の形態によれば、ヒンジ４にカム部３１ａ、３１ｂを追加し、カバー５に側部３２を追加することにより、携帯電話機を閉状態から開状態とする際に、確実に自動でシワ、弛みの発生を防ぐことができる。
【００３１】
なお、上記各実施の形態では携帯電話機について説明したが、本発明はこれに限られず、携帯ゲーム機等、キーボード部とディスプレイ部を有する他の携帯機器にも用いることができる。
【００３２】
また、本発明では、第１筐体２とカバー５とは固定されていれば良く、取り付け方法には制限がない。そして、カバー５は、ネジによる締結等により第１筐体２に着脱可能に取り付けられることが望ましい。また、カバー５は、第２筐体３にも着脱可能に取り付けられることが望ましい。
【００３３】
また、本発明は、スライドユニット１０の構成について限定はなく、第２筐体３とカバー５とを摺動可能とするものであれば他の機構を用いても良い。
【産業上の利用可能性】
【００３４】
本発明は、背面側に軟質素材のカバーを装着する折り畳み式の構造を有する携帯機器に用いるに好適である。
【図面の簡単な説明】
【００３５】
【図１】本発明の実施の形態１に係る携帯電話機の閉状態を示す斜視図
【図２】本発明の実施の形態１に係る携帯電話機の開状態を示す斜視図
【図３】本発明の実施の形態１に係る携帯電話機の閉状態を示す側面図
【図４】本発明の実施の形態１に係る携帯電話機の開状態を示す側面図
【図５】本発明の実施の形態１に係る開状態における携帯電話機の部分断面図
【図６】図５のＡ−Ａ断面図
【図７】本発明の実施の形態２に係る携帯電話機の閉状態を示す斜視図
【図８】本発明の実施の形態２に係る携帯電話機の開状態を示す斜視図
【図９】本発明の実施の形態２に係る携帯電話機の閉状態を示す側面図
【図１０】本発明の実施の形態２に係る携帯電話機の開状態を示す側面図
【符号の説明】
【００３６】
１、３０  携帯電話機
２  第１筐体
３  第２筐体
４  ヒンジ
５  カバー
５ａ  上端部
６  キーボード部
７  マイク部
８  ディスプレイ部
９  スピーカ部
１０  スライドユニット
２１  係合部材
２２ａ、２２ｂ  係合溝
２３ａ、２３ｂ  係合片部
３１ａ、３１ｂ  カム部
３２  側部
３２ａ、３２ｂ  下端面
【図１】
0004785810.tif 000002
【図２】
0004785810.tif 000003
【図３】
0004785810.tif 000004
【図４】
0004785810.tif 000005
【図５】
0004785810.tif 000006
【図６】
0004785810.tif 000007
【図７】
0004785810.tif 000008
【図８】
0004785810.tif 000009
【図９】
0004785810.tif 000010
【図１０】
0004785810.tif 000011